(57)【要約】【課題】  色彩や文書データ構造に関する高度な知識を有しないユーザであっても適切な色を実現することができるカラープロファイル処理システムを提供する。【解決手段】  カラープロファイル処理装置１００は、文書情報の条件とカラープロファイルの設定に関する処理内容とを含む判定ルールを記憶する判定ルール記憶部１２を備え、文書データから文書情報を取得し、判定ルール記憶部１２の判定ルールのうち、取得した文書情報が満足する条件の判定ルールから処理内容を取得し、取得した処理内容に基づいて、文書データまたはコンテンツオブジェクトのカラープロファイルの設定を更新する。【選択図】図１
2008066924.tif 000002
【特許請求の範囲】
【請求項１】
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理システムであって、
前記属性情報の条件と前記カラープロファイルの設定に関する処理内容とを含む条件設
定情報を記憶する条件設定情報記憶手段と、前記属性情報を前記文書データから取得する
属性情報取得手段と、前記条件設定情報記憶手段の条件設定情報のうち、前記属性情報取
得手段で取得した属性情報が満足する前記条件の条件設定情報から前記処理内容を取得す
る処理内容取得手段と、前記処理内容取得手段で取得した処理内容に基づいて前記カラー
プロファイルの設定を更新する設定更新手段とを備えることを特徴とするカラープロファ
イル処理システム。
【請求項２】
請求項１において、
前記条件設定情報記憶手段は、さらに、前記設定情報の条件と前記処理内容とを含む条
件設定情報を記憶し、
前記属性情報取得手段は、前記属性情報および前記設定情報を前記文書データから取得
し、
前記処理内容取得手段は、前記属性情報取得手段で取得した属性情報および設定情報が
満足する前記条件の条件設定情報から前記処理内容を取得することを特徴とするカラープ
ロファイル処理システム。
【請求項３】
請求項２において、
前記属性情報取得手段は、前記文書データについての前記属性情報および前記設定情報
を前記文書データから取得する第１属性情報取得手段と、前記コンテンツオブジェクトに
ついての前記属性情報および前記設定情報を前記文書データから取得する第２属性情報取
得手段とを有し、
前記処理内容取得手段は、前記第１属性情報取得手段で取得した属性情報および設定情
報が満足する前記条件の条件設定情報から前記処理内容を取得する第１処理内容取得手段
と、前記第２属性情報取得手段で取得した属性情報および設定情報が満足する前記条件の
条件設定情報から前記処理内容を取得する第２処理内容取得手段とを有し、
前記設定更新手段は、前記第１処理内容取得手段で取得した処理内容に基づいて、前記
文書データのカラープロファイルの設定を更新する第１設定更新手段と、前記第２処理内
容取得手段で取得した処理内容に基づいて、前記コンテンツオブジェクトのカラープロフ
ァイルの設定を更新する第２設定更新手段とを有することを特徴とするカラープロファイ
ル処理システム。
【請求項４】
請求項１ないし３のいずれか１項において、
前記処理内容は、現在の前記カラープロファイルの設定を承継すること、現在の前記カ
ラープロファイルの設定を破棄すること、または現在の前記カラープロファイルの設定を
他の前記カラープロファイルの設定に変更することを示し、
前記設定更新手段は、前記カラープロファイルの設定に対して、前記承継、前記破棄お
よび前記変更のいずれかの処理を行うことを特徴とするカラープロファイル処理システム
。
【請求項５】
請求項１ないし４のいずれか１項において、
前記コンテンツオブジェクトは、当該コンテンツオブジェクトに関する属性情報を含み
、
さらに、前記コンテンツオブジェクトから前記属性情報を取得する第３属性情報取得手
段を備え、
前記処理内容取得手段は、前記属性情報取得手段および前記第３属性情報取得手段で取
得した属性情報が満足する前記条件の条件設定情報から前記処理内容を取得することを特
徴とするカラープロファイル処理システム。
【請求項６】
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理プログラムであって、
前記属性情報を前記文書データから取得する属性情報取得ステップと、前記属性情報の
条件と前記カラープロファイルの設定に関する処理内容とを含む条件設定情報を記憶する
条件設定情報記憶手段の条件設定情報のうち、前記属性情報取得ステップで取得した属性
情報が満足する前記条件の条件設定情報から前記処理内容を取得する処理内容取得ステッ
プと、前記処理内容取得ステップで取得した処理内容に基づいて前記カラープロファイル
の設定を更新する設定更新ステップとからなる処理をコンピュータに実行させるためのプ
ログラムを含むことを特徴とするカラープロファイル処理プログラム。
【請求項７】
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理方法であって、
前記属性情報を前記文書データから取得する属性情報取得ステップと、前記属性情報の
条件と前記カラープロファイルの設定に関する処理内容とを含む条件設定情報を記憶する
条件設定情報記憶手段の条件設定情報のうち、前記属性情報取得ステップで取得した属性
情報が満足する前記条件の条件設定情報から前記処理内容を取得する処理内容取得ステッ
プと、前記処理内容取得ステップで取得した処理内容に基づいて前記カラープロファイル
の設定を更新する設定更新ステップとを含むことを特徴とするカラープロファイル処理方
法。
【発明の詳細な説明】
【技術分野】
【０００１】
本発明は、文書データに対してカラープロファイルの設定に関する処理を行うシステム
およびプログラム、並びに方法に係り、特に、色彩や文書データ構造に関する高度な知識
を有しないユーザであっても適切な色を実現することができるカラープロファイル処理シ
ステムおよびカラープロファイル処理プログラム、並びにカラープロファイル処理方法に
関する。
【背景技術】
【０００２】
従来、画像の補正を行う技術としては、例えば、特許文献１、２の技術が知られている
。
特許文献１記載の技術は、入力画像の色分布に応じた画像補正処理を行う画像処理方法
であって、画像を構成するオブジェクト画像を入力し、入力したオブジェクト画像の種別
を判断し、判断結果に応じて、オブジェクト画像に対して画像補正処理処理を行うか否か
を制御するものである。
【０００３】
特許文献２記載の技術は、１つの出力画像を構成する複数のオブジェクト画像を示す画
像データを入力し、複数のオブジェクト画像間の関係を解析し、解析結果に基づき複数の
オブジェクト画像をグループ化し、同一のグループに属する複数のオブジェクト画像に対
して同一の色処理条件を設定するものである。
【特許文献１】特開２０００−１１１５２号公報
【特許文献２】特開２０００−１３６２２号公報
【発明の開示】
【発明が解決しようとする課題】
【０００４】
ところで、ＰＤＦ（Portable Document Format）等の文書データは、画像、写真、文章
等のオブジェクトデータであるコンテンツオブジェクトの集合であり、個々のコンテンツ
オブジェクトには、それぞれカラープロファイルを関連付けることができる。ここで、カ
ラープロファイルとは、データ中の色値（ＲＧＢ等）と、入出力機器を通して入出力され
る実際の色（CIE Lab等の方法で数値表現）を対応付けるデータである。
【０００５】
しかし、文書データ全体のカラープロファイルを適切に設定し、またはコンテンツオブ
ジェクトごとにカラープロファイルを適切に設定し、最終的な文書出力を望み通りの色調
にするためには、色彩や文書データ構造に関する高度な知識が必要であり、一般のユーザ
が適切に色管理された文書データを作成するのは困難である。
それどころか、コンテンツオブジェクトを生成・作成するツール（デジタルカメラ、Ad
obe Photoshop（登録商標）等）、複数のコンテンツオブジェクトをまとめて文書データ
を作成するツール（Adobe Illustrator（登録商標）、Adobe InDesign（登録商標）等）
、文書データを標準的な形式に変換するツール（Adobe Acrobat Distiller（登録商標）
等）は、それぞれが多数の色モードを持ち、各色モードによって異なるデフォルトの色設
定を持っているため、文書データが作成されたときに、文書データ全体またはコンテンツ
オブジェクトに対して、ユーザの意図と無関係にカラープロファイルが関連付けられる。
その結果、文書データを出力したときに意図しない色で実現されてしまうことがある。
【０００６】
これに対し、特許文献１記載の技術にあっては、オブジェクトの属性によってオブジェ
クトごとに画像補正処理処理を行うか否かを制御するが、文書データにおけるコンテンツ
オブジェクト相互の関係や文書全体の属性を考慮しないので、必ずしも適切な色を実現で
きるとは限らない。
また、特許文献２記載の技術にあっては、１つの大きな出力画像を構成する複数のオブ
ジェクト画像に対して同一の色処理を施すものであり、文書データにおけるコンテンツオ
ブジェクト相互の関係や文書全体の属性を考慮しないので、必ずしも適切な色を実現でき
るとは限らない。
【０００７】
そこで、本発明は、このような従来の技術の有する未解決の課題に着目してなされたも
のであって、色彩や文書データ構造に関する高度な知識を有しないユーザであっても適切
な色を実現することができるカラープロファイル処理システムおよびカラープロファイル
処理プログラム、並びにカラープロファイル処理方法を提供することを目的としている。
【課題を解決するための手段】
【０００８】
〔形態１〕  上記目的を達成するために、形態１のカラープロファイル処理システムは
、
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理システムであって、
前記属性情報の条件と前記カラープロファイルの設定に関する処理内容とを含む条件設
定情報を記憶する条件設定情報記憶手段と、前記属性情報を前記文書データから取得する
属性情報取得手段と、前記条件設定情報記憶手段の条件設定情報のうち、前記属性情報取
得手段で取得した属性情報が満足する前記条件の条件設定情報から前記処理内容を取得す
る処理内容取得手段と、前記処理内容取得手段で取得した処理内容に基づいて前記カラー
プロファイルの設定を更新する設定更新手段とを備えることを特徴とする。
【０００９】
このような構成であれば、属性情報取得手段により、属性情報が文書データから取得さ
れ、処理内容取得手段により、条件設定情報記憶手段の条件設定情報のうち、取得された
属性情報が満足する条件の条件設定情報から処理内容が取得される。そして、設定更新手
段により、取得された処理内容に基づいてカラープロファイルの設定が更新される。
これにより、属性情報に応じて、文書データ全体を考慮した適切な処理内容を含む条件
設定情報を用意すれば、文書データまたはコンテンツオブジェクトに対して、文書データ
全体を考慮した適切なカラープロファイルの設定が行われるので、従来に比して、色彩や
文書データ構造に関する高度な知識を有しないユーザであっても適切な色を実現すること
ができるという効果が得られる。
【００１０】
ここで、設定情報は、文書データおよびコンテンツオブジェクトの一方に適用されるカ
ラープロファイルの設定情報のほか、文書データおよびコンテンツオブジェクトの両方に
適用されるカラープロファイルの設定情報を含む。以下、形態６のカラープロファイル処
理プログラム、および形態１１のカラープロファイル処理方法において同じである。
また、属性情報は、文書データおよびコンテンツオブジェクトの一方に関する属性情報
のほか、文書データおよびコンテンツオブジェクトの両方に関する属性情報を含む。以下
、形態６のカラープロファイル処理プログラム、および形態１１のカラープロファイル処
理方法において同じである。
【００１１】
また、カラープロファイルの設定の更新には、カラープロファイルの設定の内容を承継
、破棄または変更等するだけでなく、承継、破棄または変更等の更新すべき旨の情報（例
えば、フラグ情報）を付加することも含まれる。以下、形態６のカラープロファイル処理
プログラム、および形態１１のカラープロファイル処理方法において同じである。
また、カラープロファイルの設定の更新方法としては、例えば、積極的に、適切なカラ
ープロファイルの設定に変更する方法でもよいし、消極的に、不適切なカラープロファイ
ルの設定を破棄する方法でもよいし、その組み合わせの方法でもよい。以下、形態６のカ
ラープロファイル処理プログラム、および形態１１のカラープロファイル処理方法におい
て同じである。
【００１２】
また、条件設定情報記憶手段は、条件設定情報をあらゆる手段でかつあらゆる時期に記
憶するものであり、条件設定情報をあらかじめ記憶してあるものであってもよいし、条件
設定情報をあらかじめ記憶することなく、本装置の動作時に外部からの入力等によって条
件設定情報を記憶するようになっていてもよい。
また、本システムは、単一の装置、端末その他の機器として実現するようにしてもよい
し、複数の装置、端末その他の機器を通信可能に接続したネットワークシステムとして実
現するようにしてもよい。後者の場合、各構成要素は、それぞれ通信可能に接続されてい
れば、複数の機器等のうちいずれに属していてもよい。
【００１３】
〔形態２〕  さらに、形態２のカラープロファイル処理システムは、形態１のカラープ
ロファイル処理システムにおいて、
前記条件設定情報記憶手段は、さらに、前記設定情報の条件と前記処理内容とを含む条
件設定情報を記憶し、
前記属性情報取得手段は、前記属性情報および前記設定情報を前記文書データから取得
し、
前記処理内容取得手段は、前記属性情報取得手段で取得した属性情報および設定情報が
満足する前記条件の条件設定情報から前記処理内容を取得することを特徴とする。
【００１４】
このような構成であれば、属性情報取得手段により、属性情報および設定情報が文書デ
ータから取得され、処理内容取得手段により、取得された属性情報および設定情報が満足
する条件の条件設定情報から処理内容が取得される。
これにより、属性情報だけでなくカラープロファイルの設定情報も考慮してカラープロ
ファイルの設定が行われるので、さらに適切な色を実現することができるという効果が得
られる。
【００１５】
〔形態３〕  さらに、形態３のカラープロファイル処理システムは、形態２のカラープ
ロファイル処理システムにおいて、
前記属性情報取得手段は、前記文書データについての前記属性情報および前記設定情報
を前記文書データから取得する第１属性情報取得手段と、前記コンテンツオブジェクトに
ついての前記属性情報および前記設定情報を前記文書データから取得する第２属性情報取
得手段とを有し、
前記処理内容取得手段は、前記第１属性情報取得手段で取得した属性情報および設定情
報が満足する前記条件の条件設定情報から前記処理内容を取得する第１処理内容取得手段
と、前記第２属性情報取得手段で取得した属性情報および設定情報が満足する前記条件の
条件設定情報から前記処理内容を取得する第２処理内容取得手段とを有し、
前記設定更新手段は、前記第１処理内容取得手段で取得した処理内容に基づいて、前記
文書データのカラープロファイルの設定を更新する第１設定更新手段と、前記第２処理内
容取得手段で取得した処理内容に基づいて、前記コンテンツオブジェクトのカラープロフ
ァイルの設定を更新する第２設定更新手段とを有することを特徴とする。
【００１６】
このような構成であれば、第１属性情報取得手段により、文書データについての属性情
報および設定情報が文書データから取得され、第１処理内容取得手段により、取得された
属性情報および設定情報が満足する条件の条件設定情報から処理内容が取得される。そし
て、第１設定更新手段により、取得された処理内容に基づいて、文書データのカラープロ
ファイルの設定が更新される。
【００１７】
また、第２属性情報取得手段により、コンテンツオブジェクトについての属性情報およ
び設定情報がコンテンツオブジェクトから取得され、第２処理内容取得手段により、取得
された属性情報および設定情報が満足する条件の条件設定情報から処理内容が取得される
。そして、第２設定更新手段により、取得された処理内容に基づいて、コンテンツオブジ
ェクトのカラープロファイルの設定が更新される。
【００１８】
これにより、文書データについての属性情報および設定情報に基づいて文書データのカ
ラープロファイルの設定が、コンテンツオブジェクトについての属性情報および設定情報
に基づいてコンテンツオブジェクトのカラープロファイルの設定が行われるので、さらに
適切な色を実現することができるという効果が得られる。
【００１９】
〔形態４〕  さらに、形態４のカラープロファイル処理システムは、形態１ないし３の
いずれか１のカラープロファイル処理システムにおいて、
前記処理内容は、現在の前記カラープロファイルの設定を承継すること、現在の前記カ
ラープロファイルの設定を破棄すること、または現在の前記カラープロファイルの設定を
他の前記カラープロファイルの設定に変更することを示し、
前記設定更新手段は、前記カラープロファイルの設定に対して、前記承継、前記破棄お
よび前記変更のいずれかの処理を行うことを特徴とする。
【００２０】
このような構成であれば、設定更新手段により、カラープロファイルの設定に対して、
承継、破棄および変更のいずれかの処理が行われる。
これにより、不適切なカラープロファイルの設定は破棄または変更し、適切なカラープ
ロファイルの設定はそのまま承継するようにできるので、さらに適切な色を実現すること
ができるという効果が得られる。
【００２１】
〔形態５〕  さらに、形態５のカラープロファイル処理システムは、形態１ないし４の
いずれか１のカラープロファイル処理システムにおいて、
前記コンテンツオブジェクトは、当該コンテンツオブジェクトに関する属性情報を含み
、
さらに、前記コンテンツオブジェクトから前記属性情報を取得する第３属性情報取得手
段を備え、
前記処理内容取得手段は、前記属性情報取得手段および前記第３属性情報取得手段で取
得した属性情報が満足する前記条件の条件設定情報から前記処理内容を取得することを特
徴とする。
【００２２】
このような構成であれば、属性情報取得手段により、文書データから属性情報が取得さ
れ、第３属性情報取得手段により、コンテンツオブジェクトから属性情報が取得される。
そして、処理内容取得手段により、取得されたそれら属性情報が満足する条件の条件設定
情報から処理内容が取得される。
これにより、文書データの属性情報だけでなくコンテンツオブジェクトの属性情報も考
慮してカラープロファイルの設定が行われるので、さらに適切な色を実現することができ
るという効果が得られる。
【００２３】
〔形態６〕  一方、上記目的を達成するために、形態６のカラープロファイル処理プロ
グラムは、
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理プログラムであって、
前記属性情報を前記文書データから取得する属性情報取得ステップと、前記属性情報の
条件と前記カラープロファイルの設定に関する処理内容とを含む条件設定情報を記憶する
条件設定情報記憶手段の条件設定情報のうち、前記属性情報取得ステップで取得した属性
情報が満足する前記条件の条件設定情報から前記処理内容を取得する処理内容取得ステッ
プと、前記処理内容取得ステップで取得した処理内容に基づいて前記カラープロファイル
の設定を更新する設定更新ステップとからなる処理をコンピュータに実行させるためのプ
ログラムを含むことを特徴とする。
【００２４】
このような構成であれば、コンピュータによってプログラムが読み取られ、読み取られ
たプログラムに従ってコンピュータが処理を実行すると、形態１のカラープロファイル処
理システムと同等の作用および効果が得られる。
【００２５】
〔形態７〕  さらに、形態７のカラープロファイル処理プログラムは、形態６のカラー
プロファイル処理プログラムにおいて、
前記条件設定情報記憶手段は、さらに、前記設定情報の条件と前記処理内容とを含む条
件設定情報を記憶し、
前記属性情報取得ステップは、前記属性情報および前記設定情報を前記文書データから
取得し、
前記処理内容取得ステップは、前記属性情報取得ステップで取得した属性情報および設
定情報が満足する前記条件の条件設定情報から前記処理内容を取得することを特徴とする
。
このような構成であれば、コンピュータによってプログラムが読み取られ、読み取られ
たプログラムに従ってコンピュータが処理を実行すると、形態２のカラープロファイル処
理システムと同等の作用および効果が得られる。
【００２６】
〔形態８〕  さらに、形態８のカラープロファイル処理プログラムは、形態７のカラー
プロファイル処理プログラムにおいて、
前記属性情報取得ステップは、前記文書データについての前記属性情報および前記設定
情報を前記文書データから取得する第１属性情報取得ステップと、前記コンテンツオブジ
ェクトについての前記属性情報および前記設定情報を前記文書データから取得する第２属
性情報取得ステップとを含み、
前記処理内容取得ステップは、前記第１属性情報取得ステップで取得した属性情報およ
び設定情報が満足する前記条件の条件設定情報から前記処理内容を取得する第１処理内容
取得ステップと、前記第２属性情報取得ステップで取得した属性情報および設定情報が満
足する前記条件の条件設定情報から前記処理内容を取得する第２処理内容取得ステップと
を含み、
前記設定更新ステップは、前記第１処理内容取得ステップで取得した処理内容に基づい
て、前記文書データのカラープロファイルの設定を更新する第１設定更新ステップと、前
記第２処理内容取得ステップで取得した処理内容に基づいて、前記コンテンツオブジェク
トのカラープロファイルの設定を更新する第２設定更新ステップとを含むことを特徴とす
る。
このような構成であれば、コンピュータによってプログラムが読み取られ、読み取られ
たプログラムに従ってコンピュータが処理を実行すると、形態３のカラープロファイル処
理システムと同等の作用および効果が得られる。
【００２７】
〔形態９〕  さらに、形態９のカラープロファイル処理プログラムは、形態６ないし８
のいずれか１のカラープロファイル処理プログラムにおいて、
前記処理内容は、現在の前記カラープロファイルの設定を承継すること、現在の前記カ
ラープロファイルの設定を破棄すること、または現在の前記カラープロファイルの設定を
他の前記カラープロファイルの設定に変更することを示し、
前記設定更新ステップは、前記カラープロファイルの設定に対して、前記承継、前記破
棄および前記変更のいずれかの処理を行うことを特徴とする。
このような構成であれば、コンピュータによってプログラムが読み取られ、読み取られ
たプログラムに従ってコンピュータが処理を実行すると、形態４のカラープロファイル処
理システムと同等の作用および効果が得られる。
【００２８】
〔形態１０〕  さらに、形態１０のカラープロファイル処理プログラムは、形態６ない
し９のいずれか１のカラープロファイル処理プログラムにおいて、
前記コンテンツオブジェクトは、当該コンテンツオブジェクトに関する属性情報を含み
、
さらに、前記コンテンツオブジェクトから前記属性情報を取得する第３属性情報取得ス
テップからなる処理をコンピュータに実行させるためのプログラムを含み、
前記処理内容取得ステップは、前記属性情報取得ステップおよび前記第３属性情報取得
ステップで取得した属性情報が満足する前記条件の条件設定情報から前記処理内容を取得
することを特徴とする。
このような構成であれば、コンピュータによってプログラムが読み取られ、読み取られ
たプログラムに従ってコンピュータが処理を実行すると、形態５のカラープロファイル処
理システムと同等の作用および効果が得られる。
【００２９】
〔形態１１〕  一方、上記目的を達成するために、形態１１のカラープロファイル処理
方法は、
コンテンツオブジェクト、当該文書データまたは前記コンテンツオブジェクトに適用さ
れるカラープロファイルの設定情報、および当該文書データまたは前記コンテンツオブジ
ェクトに関する属性情報を含む文書データに対して、前記カラープロファイルの設定に関
する処理を行うカラープロファイル処理方法であって、
前記属性情報を前記文書データから取得する属性情報取得ステップと、前記属性情報の
条件と前記カラープロファイルの設定に関する処理内容とを含む条件設定情報を記憶する
条件設定情報記憶手段の条件設定情報のうち、前記属性情報取得ステップで取得した属性
情報が満足する前記条件の条件設定情報から前記処理内容を取得する処理内容取得ステッ
プと、前記処理内容取得ステップで取得した処理内容に基づいて前記カラープロファイル
の設定を更新する設定更新ステップとを含むことを特徴とする。
これにより、形態１のカラープロファイル処理システムと同等の効果が得られる。
【００３０】
〔形態１２〕  さらに、形態１２のカラープロファイル処理方法は、形態１１のカラー
プロファイル処理方法において、
前記条件設定情報記憶手段は、さらに、前記設定情報の条件と前記処理内容とを含む条
件設定情報を記憶し、
前記属性情報取得ステップは、前記属性情報および前記設定情報を前記文書データから
取得し、
前記処理内容取得ステップは、前記属性情報取得ステップで取得した属性情報および設
定情報が満足する前記条件の条件設定情報から前記処理内容を取得することを特徴とする
。
これにより、形態２のカラープロファイル処理システムと同等の効果が得られる。
【００３１】
〔形態１３〕  さらに、形態１３のカラープロファイル処理方法は、形態１２のカラー
プロファイル処理方法において、
前記属性情報取得ステップは、前記文書データについての前記属性情報および前記設定
情報を前記文書データから取得する第１属性情報取得ステップと、前記コンテンツオブジ
ェクトについての前記属性情報および前記設定情報を前記文書データから取得する第２属
性情報取得ステップとを含み、
前記処理内容取得ステップは、前記第１属性情報取得ステップで取得した属性情報およ
び設定情報が満足する前記条件の条件設定情報から前記処理内容を取得する第１処理内容
取得ステップと、前記第２属性情報取得ステップで取得した属性情報および設定情報が満
足する前記条件の条件設定情報から前記処理内容を取得する第２処理内容取得ステップと
を含み、
前記設定更新ステップは、前記第１処理内容取得ステップで取得した処理内容に基づい
て、前記文書データのカラープロファイルの設定を更新する第１設定更新ステップと、前
記第２処理内容取得ステップで取得した処理内容に基づいて、前記コンテンツオブジェク
トのカラープロファイルの設定を更新する第２設定更新ステップとを含むことを特徴とす
る。
これにより、形態３のカラープロファイル処理システムと同等の効果が得られる。
【００３２】
〔形態１４〕  さらに、形態１４のカラープロファイル処理方法は、形態１１ないし１
３のいずれか１のカラープロファイル処理方法において、
前記処理内容は、現在の前記カラープロファイルの設定を承継すること、現在の前記カ
ラープロファイルの設定を破棄すること、または現在の前記カラープロファイルの設定を
他の前記カラープロファイルの設定に変更することを示し、
前記設定更新ステップは、前記カラープロファイルの設定に対して、前記承継、前記破
棄および前記変更のいずれかの処理を行うことを特徴とする。
これにより、形態４のカラープロファイル処理システムと同等の効果が得られる。
【００３３】
〔形態１５〕  さらに、形態１５のカラープロファイル処理方法は、形態１１ないし１
４のいずれか１のカラープロファイル処理方法において、
前記コンテンツオブジェクトは、当該コンテンツオブジェクトに関する属性情報を含み
、
さらに、前記コンテンツオブジェクトから前記属性情報を取得する第３属性情報取得ス
テップを含み、
前記処理内容取得ステップは、前記属性情報取得ステップおよび前記第３属性情報取得
ステップで取得した属性情報が満足する前記条件の条件設定情報から前記処理内容を取得
することを特徴とする。
これにより、形態５のカラープロファイル処理システムと同等の効果が得られる。
【発明を実施するための最良の形態】
【００３４】
以下、本発明の第１の実施の形態を図面を参照しながら説明する。図１ないし図７は、
本発明に係るカラープロファイル処理システムおよびカラープロファイル処理プログラム
、並びにカラープロファイル処理方法の第１の実施の形態を示す図である。
まず、本発明を適用するカラープロファイル処理装置１００の機能概要を説明する。
図１は、カラープロファイル処理装置１００の機能概要を示す機能ブロック図である。
【００３５】
カラープロファイル処理装置１００は、図１に示すように、文書データを取得する文書
データ取得部１０を有して構成されている。ここで、文書データは、１または複数のコン
テンツオブジェクトと、文書データおよびコンテンツオブジェクトに適用されるカラープ
ロファイルの設定情報、並びに文書データおよびコンテンツオブジェクトの属性情報から
なる文書情報とを含む。
【００３６】
カラープロファイル処理装置１００は、さらに、文書情報の条件とカラープロファイル
の設定に関する処理内容とを含む判定ルールを記憶する判定ルール記憶部１２と、文書デ
ータから文書情報を取得する文書情報取得部１４とを有して構成されている。
カラープロファイル処理装置１００は、さらに、判定ルール記憶部１２の判定ルールの
うち、文書情報取得部１４で取得した文書情報が満足する条件の判定ルールから処理内容
を取得する処理内容取得部１６と、処理内容取得部１６で取得した処理内容に基づいてカ
ラープロファイルの設定を更新する設定更新部１８とを有して構成されている。
【００３７】
次に、カラープロファイル処理装置１００の構成を詳細に説明する。
図２は、カラープロファイル処理装置１００のハードウェア構成を示す図である。
カラープロファイル処理装置１００は、図２に示すように、制御プログラムに基づいて
演算およびシステム全体を制御するＣＰＵ３０と、所定領域にあらかじめＣＰＵ３０の制
御プログラム等を格納しているＲＯＭ３２と、ＲＯＭ３２等から読み出したデータやＣＰ
Ｕ３０の演算過程で必要な演算結果を格納するためのＲＡＭ３４と、外部装置に対してデ
ータの入出力を媒介するＩ／Ｆ３８とで構成されており、これらは、データを転送するた
めの信号線であるバス３９で相互にかつデータ授受可能に接続されている。
【００３８】
Ｉ／Ｆ３８には、外部装置として、ヒューマンインターフェースとしてデータの入力が
可能なキーボードやマウス等からなる入力装置４０と、データやテーブル等をファイルと
して格納する記憶装置４２と、画像信号に基づいて画面を表示する表示装置４４とが接続
されている。
次に、文書データのデータ構造を説明する。
【００３９】
図３は、文書データのデータ構造を示す図である。
図４は、文書情報のデータ構造を示す図である。
文書データは、図３に示すように、複数のコンテンツオブジェクトを含んで構成されて
いる。図３の例では、コンテンツオブジェクトとして写真および図形が文書データに含ま
れている。
【００４０】
文書データは、さらに、図４に示すように、カラープロファイルの設定情報並びに文書
データおよびコンテンツオブジェクトの属性情報からなる文書情報を含んで構成されてお
り、例えば、ＸＭＬ（eXtensible Markup Language）等のマークアップ言語により記述す
ることができる。
図４の例では、写真は、デジタルカメラで撮影したＪＰＥＧ（Joint Photographic cod
ing Experts Group）画像データであって、ソースカラースペースとしては、ｓＲＧＢの
カラープロファイルが設定されている。また、文書データおよび図形は、描画アプリケー
ションＡ（例えば、Adobe Illustrator（登録商標））で作成したＣＭＹＫのＰＤＦデー
タであって、出力インテントおよびソースカラースペースとしては、ＳＷＯＰのカラープ
ロファイルが設定されている。なお、出力インテントとは、画像データを出力する際にデ
ータの値と実際の色の対応を示す情報（カラープロファイル）であり、ターゲットカラー
プロファイルのともいう。また、ソースカラースペースとは、画像データを入力／作成し
た際の、データの値と実際の色の対応を示す情報（カラープロファイル）で、ソースカラ
ープロファイルともいう。
【００４１】
文書情報としては、そのほか、文書データの形式と、文書データまたはコンテンツオブ
ジェクトを作成したアプリケーション名と、コンテンツオブジェクトの作成元が含まれる
。これらの情報は、図４に示すように、所定の開始タグおよび終了タグの間に記述される
。
図３および図４の場合、文書および図形のカラープロファイルは、ユーザが意識的に設
定したのではなく、描画アプリケーションＡのディフォルト設定で付加されたものと推測
される。したがって、文書データおよび図形のカラープロファイルは、出力にあたって適
用しないのが妥当である。これに対し、写真については、デジタルカメラが撮影時に付加
した情報によってｓＲＧＢのカラープロファイルが設定されているので、カラープロファ
イルの設定の信頼性は高い。
【００４２】
本実施の形態では、「描画アプリケーションＡでは、デフォルト設定によりＳＷＯＰの
カラープロファイルが設定される」、また、「デジタルカメラで撮影したＪＰＥＧ画像デ
ータに対するカラープロファイルの設定の信頼性は高い」といった「知識」を知識ベース
化し、その知識を参照して、カラープロファイルの適用／非適用を適切に判定する。
次に、判定ルールのデータ構造を説明する。
【００４３】
図５は、判定ルールのデータ構造を示す図である。
記憶装置４２は、判定ルール記憶部１２を構成し、複数の判定ルールを記憶している。
判定ルールは、図５に示すように、文書情報の条件が記述された条件節と、文書情報が
条件節の条件を満足する場合に、次に処理すべき判定ルールまたはカラープロファイルに
関する処理内容が記述された実行節とからなる電子データであって、例えば、ＸＭＬ等の
マークアップ言語により記述することができる。
【００４４】
図５の例では、４つの判定ルールが記憶装置４２に記憶されている。
判定ルール１は、２つのレコードを有している。そのうち、例えば、第１レコードは、
文書データの形式が「ＰＤＦ」である条件が条件節として、次に判定ルール２をチェック
することが実行節として記述されている。これは、文書データの形式が「ＰＤＦ」である
ときは、判定ルール２に処理を移行することを示している。
【００４５】
判定ルール３は、６つのレコードを有している。そのうち、例えば、第１レコードは、
文書データの出力インテントが「ＳＷＯＰ」である条件が条件節として、カラープロファ
イルを破棄することが実行節として記述されている。これは、文書データの出力インテン
トが「ＳＷＯＰ」に設定されているときは、そのカラープロファイルの設定を破棄するこ
とを示している。
【００４６】
次に、ＣＰＵ３０で実行される処理を説明する。
ＣＰＵ３０は、マイクロプロセッシングユニット（ＭＰＵ）等からなり、ＲＯＭ５２の
所定領域に格納されている所定のプログラムを起動させ、そのプログラムに従って、図６
のフローチャートに示すカラープロファイル処理を実行する。
図６は、カラープロファイル処理を示すフローチャートである。
【００４７】
カラープロファイル処理は、ＣＰＵ３０において実行されると、図６に示すように、ま
ず、ステップＳ１００に移行する。
ステップＳ１００では、文書データを取得し、ステップＳ１０２に移行して、取得した
文書データから文書情報を取得し、ステップＳ１０４に移行して、先頭の判定ルール（図
５の例では、判定ルール１）を処理対象の判定ルールとして後述のルール判定処理を実行
し、ステップＳ１０６に移行する。
【００４８】
ステップＳ１０６では、文書データに含まれるすべてのタグ情報（開始タグおよび終了
タグの間に記述される設定情報および属性情報）について処理が終了したか否かを判定し
、すべてのタグ情報について処理が終了したと判定したとき(Yes)は、一連の処理を終了
して元の処理に復帰させる。
一方、ステップＳ１０６で、すべてのタグ情報について処理が終了しないと判定したと
き(No)は、ステップＳ１０４に移行する。
【００４９】
次に、ルール判定処理を説明する。
図７は、ルール判定処理を示すフローチャートである。
ルール判定処理は、ステップＳ１０４において実行されると、図７に示すように、まず
、ステップＳ２００に移行する。
ステップＳ２００では、処理対象の判定ルールから１レコードを取得し、ステップＳ２
０２に移行して、取得した文書情報が、取得したレコードの条件節の条件を満足するか否
かを判定し、文書情報が条件節の条件を満足すると判定したとき(Yes)は、ステップＳ２
０４に移行する。
【００５０】
ステップＳ２０４では、取得したレコードの実行節が判定ルールを参照するものである
か否かを判定し、実行節が判定ルールを参照するものであると判定したとき(Yes)は、ス
テップＳ２０６に移行して、実行節の判定ルールを処理対象の判定ルールとして本ルール
判定処理を実行し、ステップＳ２０８に移行する。
ステップＳ２０８では、処理対象の判定ルールのすべてのレコードについてステップＳ
２０２〜Ｓ２０６、Ｓ２１０の処理が終了したか否かを判定し、すべてのレコードについ
て処理が終了したと判定したとき(Yes)は、一連の処理を終了して元の処理に復帰させる
。
【００５１】
一方、ステップＳ２０８で、すべてのレコードについて処理が終了しないと判定したと
き(No)は、ステップＳ２００に移行する。
一方、ステップＳ２０４で、実行節が判定ルールを参照するものでないと判定したとき
(No)は、ステップＳ２１０に移行して、取得したレコードの実行節の処理内容に基づいて
カラープロファイルの設定を更新し、ステップＳ２０８に移行する。
【００５２】
一方、ステップＳ２０２で、文書情報が条件節の条件を満足しないと判定したとき(No)
は、ステップＳ２０８に移行する。
次に、本実施の形態の動作を説明する。以下、文書データが図３および図４の内容で、
判定ルールが図５の内容である場合を例にとって説明する。
カラープロファイル処理装置１００では、ステップＳ１００、Ｓ１０２を経て、文書デ
ータが取得され、取得された文書データから文書情報が取得される。文書情報が図４の内
容であるので、文書データおよび図形のカラープロファイルが「ＳＷＯＰ」であることが
分かる。また、文書データおよび図形の作成に使用したアプリケーションが「描画アプリ
ケーションＡ」であることが分かる。
【００５３】
まず、文書データのタグ情報については、ステップＳ１０４を経て、判定ルール１を処
理対象の判定ルールとしてルール判定処理が実行される。判定ルール１の処理では、レコ
ード１において文書データの形式が「ＰＤＦ」である条件が成立するので、ステップＳ２
０６を経て、判定ルール２に処理が移行する。判定ルール２の処理では、レコード１にお
いて作成アプリケーション名が「描画アプリケーションＡ」である条件が成立するので、
判定ルール３に処理が移行する。判定ルール３の処理では、レコード１においてカラープ
ロファイルが「ＳＷＯＰ」である条件が成立するので、ステップＳ２１０を経て、文書デ
ータのカラープロファイルの設定が破棄される。
【００５４】
続いて、判定ルール３の処理では、他のレコード２〜６の条件がいずれも不成立となり
、判定ルール２の処理に戻り、他のレコード２の条件が不成立となる。そして、判定ルー
ル１の処理に戻り、他のレコード２の条件が不成立となり、文書データのタグ情報につい
ては処理が終了する。
このように、判定ルールを順次チェックしていくことにより、カラープロファイルの採
否を判定し、処理内容に基づいてカラープロファイルの設定が更新される。
【００５５】
次に、図形のタグ情報については、同様にルール判定処理が実行され、判定ルール３の
処理では、レコード４においてカラープロファイルが「ＳＷＯＰ」である条件が成立する
ので、図形のカラープロファイルの設定が破棄される。
ここで、文書データおよび図形のカラープロファイルの設定を破棄するのは、描画アプ
リケーションＡでは、デフォルト設定により「ＳＷＯＰ」のカラープロファイルが設定さ
れるものの、日本では、「ＳＷＯＰ」のカラープロファイルが使われることは少ないため
、ユーザが意図せずして「ＳＷＯＰ」のカラープロファイルが設定されている可能性が高
い、という知識によるものである。一方、判定ルール３では、「ＪＭＰＡ」や「JapanCol
or」のカラープロファイルが設定されている場合は、ユーザが意図的に設定した可能性が
高いので、カラープロファイルの信頼性が高く、採用と判定する。
【００５６】
判定ルール４では、作成アプリケーションが「描画アプリケーションＢ」の場合だが、
この場合も「ＳＷＯＰ」のカラープロファイルはデフォルト設定なので、破棄する。また
、「JapanStandard」のカラープロファイルが設定されている場合、「描画アプリケーシ
ョンＢ」ではアプリケーションのインストールと同時に「JapanStandard」のカラープロ
ファイルが設定されるが、「JapanStandard」は後に改善されて「JapanColor」のカラー
プロファイルになるため、自動的に「JapanColor」の設定に置き換える処理をする。
【００５７】
本実施の形態では、判定ルール１が基点判定ルールであり、他の判定ルールは判定ルー
ル１の実行節によって参照される。したがって、判定ルール１の各レコードの条件節を判
定し、成立したら実行節を実行し、順次従属判定ルールを参照していき、判定ルール１の
全レコードの処理が終了すると、処理を終了する。すなわち、他の判定ルールを基点判定
ルールとはしない。
【００５８】
カラープロファイルの設定が更新されると、更新された文書データが出力される。ここ
で、出力は、印刷装置（不図示）や表示装置４４への可視出力でも、記憶装置４２へのデ
ータ出力でも構わない。
このようにして、本実施の形態では、文書データから文書情報を取得し、取得した文書
情報が満足する条件の判定ルールから処理内容を取得し、取得した処理内容に基づいてカ
ラープロファイルの設定を更新する。
【００５９】
これにより、文書データまたはコンテンツオブジェクトに対して、文書データ全体を考
慮した適切なカラープロファイルの設定が行われるので、従来に比して、色彩や文書デー
タ構造に関する高度な知識を有しないユーザであっても適切な色を実現することができる
。
さらに、本実施の形態では、カラープロファイルの設定に対して、承継、破棄および変
更のいずれかの処理を行う。
【００６０】
これにより、不適切なカラープロファイルの設定は破棄または変更し、適切なカラープ
ロファイルの設定はそのまま承継するようにできるので、さらに適切な色を実現すること
ができる。
上記第１の実施の形態において、判定ルールは、形態１ないし３、６ないし８、１１な
いし１３の条件設定情報に対応し、判定ルール記憶部１２および記憶装置４２は、形態１
、２、６、７、１１または１２の条件設定情報記憶手段に対応し、文書情報取得部１４お
よびステップＳ１０２は、形態１ないし３の属性情報取得手段、形態３の第１属性情報取
得手段、または形態３の第２属性情報取得手段に対応している。また、ステップＳ１０２
は、形態６ないし８、１１ないし１３の属性情報取得ステップ、形態８若しくは１３の第
１属性情報取得ステップ、または形態８若しくは１３の第２属性情報取得ステップに対応
し、処理内容取得部１６およびステップＳ２００は、形態１ないし３の処理内容取得手段
、形態３の第１処理内容取得手段、または形態３の第２処理内容取得手段に対応している
。
【００６１】
また、上記第１の実施の形態において、ステップＳ２００は、形態６ないし８、１１な
いし１３の処理内容取得ステップ、形態８若しくは１３の第１処理内容取得ステップ、ま
たは形態８若しくは１３の第２処理内容取得ステップに対応し、設定更新部１８およびス
テップＳ２１０は、形態１、３若しくは４の設定更新手段、形態３の第１設定更新手段、
または形態３の第２設定更新手段に対応している。また、ステップＳ２１０は、形態６、
８、９、１１、１３若しくは１４の設定更新ステップ、形態８若しくは１３の第１設定更
新ステップ、または形態８若しくは１３の第２設定更新ステップに対応している。
【００６２】
次に、本発明の第２の実施の形態を図面を参照しながら説明する。図８および図９は、
本発明に係るカラープロファイル処理システムおよびカラープロファイル処理プログラム
、並びにカラープロファイル処理方法の第２の実施の形態を示す図である。
まず、写真の画像データに含まれる撮影情報のデータ構造を説明する。
図８は、撮影情報のデータ構造を示す図である。
【００６３】
写真の画像データには、図８に示すように、コンテンツオブジェクトの作成元、水平方
向および垂直方向の解像度、ソースカラースペースその他の撮影に関する情報からなる撮
影情報（例えば、Exif情報）が付加されている。図８の例では、写真のカラープロファイ
ルが「ｓＲＧＢ」であることが分かる。
次に、判定ルールのデータ構造を説明する。
【００６４】
図９は、判定ルールのデータ構造を示す図である。
本実施の形態では、図５の判定ルール１〜４に対して、図９に示すように、新たな判定
ルール５が追加されている点が異なる。また、判定ルール５の追加に伴って、判定ルール
１に新たなレコード３が追加され、判定ルール２のレコード１、２の実行節が変更となっ
ている。
【００６５】
判定ルール５は、１つのレコードを有している。第１レコードは、撮影情報においてソ
ースカラースペースが設定されていることが条件節として、カラープロファイルを採用す
ることが実行節として記述されている。これは、写真のソースカラースペースが何らかに
設定されているときは、そのカラープロファイルの設定を採用することを示している。
次に、本実施の形態の動作を説明する。以下、文書データが図３および図４の内容で、
判定ルールが図９の内容である場合を例にとって説明する。
【００６６】
カラープロファイル処理装置１００では、ステップＳ１００、Ｓ１０２を経て、文書デ
ータが取得され、取得された文書データから文書情報が取得される。文書情報が図４の内
容であるので、写真のカラープロファイルは「ｓＲＧＢ」であることが分かる。また、写
真の画像データを解析すると、画像データに付加された撮影情報から、この画像データは
デジタルカメラによって撮影されたもので、「ｓＲＧＢ」のカラープロファイルはデジタ
ルカメラの撮影情報として付加されたものであることが分かる。
【００６７】
この場合、上記第１の実施の形態と同様に、判定ルール１の処理では、レコード１、２
が処理された後に、レコード３において画像データの形式が「ＪＰＥＧ」である条件が成
立するので、判定ルール５に処理が移行する。判定ルール５の処理では、画像データの撮
影情報中にカラープロファイルの設定が存在すれば、レコード１においてその内容が何で
あれ条件が成立するので、ステップＳ２１０を経て、写真のカラープロファイルの設定が
採用される。
【００６８】
このようにして、本実施の形態では、文書データから文書情報を取得し、コンテンツオ
ブジェクトから撮影情報を取得し、取得した文書情報および撮影情報が満足する条件の判
定ルールから処理内容を取得し、取得した処理内容に基づいてカラープロファイルの設定
を更新する。
これにより、文書情報だけでなく撮影情報も考慮してカラープロファイルの設定が行わ
れるので、さらに適切な色を実現することができる。
【００６９】
上記第２の実施の形態において、撮影情報は、形態５、１０または１５の属性情報に対
応している。
なお、上記第１および第２の実施の形態においては、判定ルール１の全レコードの処理
を終了して時点で、それまでに実行したカラープロファイル処理をもってデータを確定す
るように構成したが、これに限らず、判定ルール１の全レコードが終了してから、さらに
未処理のカラープロファイルがあれば他の判定ルールを基点判定ルールとして処理を継続
するように構成することもできる。
【００７０】
また、上記第１および第２の実施の形態において、文書情報は、文書データおよびコン
テンツオブジェクトの属性情報および設定情報を含んで構成したが、これに限らず、文書
データまたはコンテンツオブジェクトの編集履歴を文書情報に含め、編集履歴を参照して
カラープロファイルの採否を判定するように構成することもできる。これにより、より確
実に判定することができる場合がある。例えば、編集の過程において、カラープロファイ
ルの設定操作が行われている場合には、そのカラープロファイルは意図的に設定されたも
のなので、採用する、といった判定である。
【００７１】
また、上記第１および第２の実施の形態において、判定ルールは、文書データまたはコ
ンテンツオブジェクトの属性情報または設定情報を個々に参照してカラープロファイル処
理を行うように構成したが、これに限らず、複数のコンテンツオブジェクトの組み合わせ
について判定ルールを設定し、カラープロファイル処理を行うように構成することもでき
る。例えば、文書データに含まれるすべてのコンテンツオブジェクトのカラープロファイ
ルが「ＳＷＯＰ」であれば、このカラープロファイルを破棄するが、一部が「ＳＷＯＰ」
で、他の一部が「JapanColor」であれば、それぞれが意図的に設定されたカラープロファ
イルだと考えられるので、採用する、といった場合である。
【００７２】
そのほか、判定ルールを以下の２つのように設定することもできる。
（１）作成アプリがMicrosoft Office（登録商標）（Word（登録商標）、PowerPoint（登
録商標）等）で、カラープロファイルが指定されていない場合、「ｓＲＧＢ」のカラープ
ロファイルの設定を付加する。Microsoft Windows（登録商標）の標準カラースペースだ
からである。
（２）同様に、使用されているフォントがMS Windows（登録商標）およびMS Office（登
録商標）に標準でインストールされるフォント（MSゴシック、MS明朝、HGゴシックなど）
で、カラープロファイルが指定されていない場合、「ｓＲＧＢ」のカラープロファイルの
設定を付加する。Microsoft Windows（登録商標）の標準カラースペースだからである。
【００７３】
また、上記第１および第２の実施の形態においては、文書データおよびコンテンツオブ
ジェクトの属性情報および設定情報が満足する条件の判定ルールから処理内容を取得する
ように構成したが、これに限らず、文書情報のうち設定情報は用いずに、属性情報が満足
する条件の判定ルールから処理内容を取得するように構成することもできる。
また、上記第２の実施の形態においては、コンテンツオブジェクトの撮影情報を用いた
が、これに限らず、コンテンツオブジェクトのその他の属性情報を用いてもよい。
【図面の簡単な説明】
【００７４】
【図１】カラープロファイル処理装置１００の機能概要を示す機能ブロック図である。
【図２】カラープロファイル処理装置１００のハードウェア構成を示す図である。
【図３】文書データのデータ構造を示す図である。
【図４】文書情報のデータ構造を示す図である。
【図５】判定ルールのデータ構造を示す図である。
【図６】カラープロファイル処理を示すフローチャートである。
【図７】ルール判定処理を示すフローチャートである。
【図８】撮影情報のデータ構造を示す図である。
【図９】判定ルールのデータ構造を示す図である。
【符号の説明】
【００７５】
１００…カラープロファイル処理装置、  １０…文書データ取得部、  １２…判定ルール
記憶部、  １４…文書情報取得部、  １６…処理内容取得部、  １８…設定更新部、  ３
０…ＣＰＵ、  ３２…ＲＯＭ、  ３４…ＲＡＭ、  ３８…Ｉ／Ｆ、  ３９…バス、  ４０
…入力装置、  ４２…記憶装置、  ４４…表示装置
【図１】
2008066924.tif 000003
【図２】
2008066924.tif 000004
【図３】
2008066924.tif 000005
【図４】
2008066924.tif 000006
【図５】
2008066924.tif 000007
【図６】
2008066924.tif 000008
【図７】
2008066924.tif 000009
【図８】
2008066924.tif 000010
【図９】
2008066924.tif 000011